(57)【要約】【課題】光ファイバと光素子との光結合状態を切り替え可能な光通信装置を提供する。【解決手段】貫通孔が設けられたフェルールと、一方の端部が前記貫通孔に挿入された光ファイバと、前記フェルールを収納した第１の筐体と、を有する光コネクタと、前記フェルールの一方の端部を挿入可能な開口を有するフェルールガイド部が設けられた第２の筐体と、光素子と、を有する光モジュールと、を備え、前記フェルールガイド部の前記開口の開口端は、第１の面と、前記開口の中心軸に沿って前記第１の面よりも突出した第２の面と、を有し、前記フェルールは、前記開口端と当接する面を有し、前記当接する面と、前記開口端の前記第１及び第２の面のいずれかと、が当接した状態で前記第１及び第２の筐体が嵌合可能とされたことを特徴とする光通信装置が提供される。【選択図】図１
2011133660.tif 000002
【特許請求の範囲】
【請求項１】
貫通孔が設けられたフェルールと、一方の端部が前記貫通孔に挿入された光ファイバと、前記フェルールを収納した第１の筐体と、を有する光コネクタと、
前記フェルールの一方の端部を挿入可能な開口を有するフェルールガイド部が設けられた第２の筐体と、光素子と、を有する光モジュールと、
を備え、
前記フェルールガイド部の前記開口の開口端は、第１の面と、前記開口の中心軸に沿って前記第１の面よりも突出した第２の面と、を有し、
前記フェルールは、前記開口端と当接する面を有し、
前記当接する面と、前記開口端の前記第１及び第２の面のいずれかと、が当接した状態で前記第１及び第２の筐体が嵌合可能とされたことを特徴とする光通信装置。
【請求項２】
前記当接する面は、第１の面と、前記貫通孔の中心軸に沿って前記第１の面よりも突出した第２の面と、を有し、
前記当接する面及び前記開口端のうちのいずれか一方の前記第２の面と、前記当接する面及び前記開口端のうちのいずれか他方の前記第１の面と、が当接すると、前記光素子と前記フェルールとは、第１の距離だけ離間し、
前記いずれか一方の前記第２の面と前記いずれか他方の前記第２の面とが当接すると、前記光素子と前記フェルールとは、前記第１の距離よりも長い第２の距離だけ離間することを特徴とする請求項１記載の光通信装置。
【請求項３】
前記光コネクタは、前記第１の筐体内に収納され前記フェルールを前記開口端に押し付け可能なバネ部をさらに有することを特徴とする請求項１または２に記載の光通信装置。
【請求項４】
貫通孔が設けられたフェルールと、一方の端部が前記貫通孔に挿入された光ファイバと、前記フェルールを収容した第１の筐体と、を有する光コネクタと、
前記フェルールの一方の端部が挿入可能な開口を有するフェルールガイド部が設けられた第２の筐体と、光素子と、を有する光モジュールと、
を備え、
前記第１及び第２の筐体のうちの一方は凸部を有し、前記第１及び第２の筐体のうちの他方は前記凸部と嵌合される凹部を有し、
前記凹部は、前記フェルールの挿入方向と平行となる方向に延在する第１の溝と、前記第１の溝に対して交差する方向に分岐した第２の溝と、前記第２の溝と平行となるように前記第１の溝から分岐しかつ前記第２の溝よりも前記凸部に近い側に設けられた第３の溝と、を有し、
前記凸部と前記第２の溝とが嵌合されると、前記光素子と前記フェルールとが第１の距離だけ離間し、
前記凸部と前記第３の溝とが嵌合されると、前記光素子と前記フェルールとが前記第１の距離よりも長い第２の距離だけ離間することを特徴とする光通信装置。
【請求項５】
前記凸部は、第１の凸部と、前記第１の凸部よりも前記凹部に近い側に設けられた第２の凸部と、を有し、
前記第１の凸部と前記第３の溝とが嵌合され、かつ前記第２の凸部と前記第２の溝とが嵌合されると、前記光素子と前記フェルールとが前記第１の距離だけ離間し、
前記第２の凸部と前記第３の溝とが嵌合されると、前記光素子と前記フェルールとが前記第１の距離よりも長い第２の距離だけ離間することを特徴とする請求項４記載の光通信装置。
【発明の詳細な説明】
【技術分野】
【０００１】
本発明は、光通信装置に関する。
【背景技術】
【０００２】
信号伝送路として光ファイバを用いると、情報機器間データ伝送、産業機器間データ伝送、オーディオ機器間接続、幹線系及び支線系通信、などが可能となる。
【０００３】
光ファイバ伝送では、簡素な回路で電気−光変調の高速化が可能となり、伝送容量を高めることができる。さらに、電磁ノイズの発生を低減できかつ電磁ノイズによる影響を受けにくい、などの特徴を有する。
特に、伝送距離が短い場合、プラスチック光ファイバやプラスチッククラッド石英光ファイバなどを用いることができ光素子モジュールや光コネクタの構成が簡素にできる。
【０００４】
この場合、伝送距離や伝送容量などにより、用いる光ファイバ及び光コネクタを適正に選択することが好ましい。例えば、光ファイバのコア径に応じて、光素子と光ファイバとの距離の適正範囲を決めると、伝送品質を高めることができる。もし、光素子と光ファイバとの間の距離を容易に切り替えることができれば、１つの光通信装置で複数の光システムに対応できるので利便性が増す。
【０００５】
特許文献１では、角形プラグを０、９０、１８０、及び２７０度の角度でソケットにそれぞれ挿入可能な光コネクタが開示されている。しかしながら、光ファイバと光素子との距離を切り替えることは困難である。
【先行技術文献】
【特許文献】
【０００６】
【特許文献１】実用新案登録第３０７１８５４号公報
【発明の概要】
【発明が解決しようとする課題】
【０００７】
光ファイバと光素子との光結合状態を切り替え可能な光通信装置を提供する。
【課題を解決するための手段】
【０００８】
本発明の一態様によれば、貫通孔が設けられたフェルールと、一方の端部が前記貫通孔に挿入された光ファイバと、前記フェルールを収納した第１の筐体と、を有する光コネクタと、前記フェルールの一方の端部を挿入可能な開口を有するフェルールガイド部が設けられた第２の筐体と、光素子と、を有する光モジュールと、を備え、前記フェルールガイド部の前記開口の開口端は、第１の面と、前記開口の中心軸に沿って前記第１の面よりも突出した第２の面と、を有し、前記フェルールは、前記開口端と当接する面を有し、前記当接する面と、前記開口端の前記第１及び第２の面のいずれかと、が当接した状態で前記第１及び第２の筐体が嵌合可能とされたことを特徴とする光通信装置が提供される。
【０００９】
また、本発明の他の一態様によれば、貫通孔が設けられたフェルールと、一方の端部が前記貫通孔に挿入された光ファイバと、前記フェルールを収容した第１の筐体と、を有する光コネクタと、前記フェルールの一方の端部が挿入可能な開口を有するフェルールガイド部が設けられた第２の筐体と、光素子と、を有する光モジュールと、を備え、前記第１及び第２の筐体のうちの一方は凸部を有し、前記第１及び第２の筐体のうちの他方は前記凸部と嵌合される凹部を有し、前記凹部は、前記フェルールの挿入方向と平行となる方向に延在する第１の溝と、前記第１の溝に対して交差する方向に分岐した第２の溝と、前記第２の溝と平行となるように前記第１の溝から分岐しかつ前記第２の溝よりも前記凸部に近い側に設けられた第３の溝と、を有し、前記凸部と前記第２の溝とが嵌合されると、前記光素子と前記フェルールとが第１の距離だけ離間し、前記凸部と前記第３の溝とが嵌合されると、前記光素子と前記フェルールとが前記第１の距離よりも長い第２の距離だけ離間することを特徴とする光通信装置が提供される。
【発明の効果】
【００１０】
光ファイバと光素子との光結合状態を切り替え可能な光通信装置が提供される。
【図面の簡単な説明】
【００１１】
【図１】第１の実施形態にかかる光通信装置の模式図（嵌合前）
【図２】第１の実施形態にかかる光通信装置の模式断面図
【図３】ＰＣＦの光線追跡を表す図
【図４】ＡＰＦの光線追跡を表す図
【図５】第２の実施形態にかかる光通信装置の模式断面図
【図６】第２の実施形態の変形例の模式断面図
【図７】比較例にかかる光通信装置の模式図
【図８】光通信システムの構成図
【図９】第３の実施形態にかかる光通信装置の模式斜視図（嵌合前）
【図１０】第３の実施形態にかかる光通信装置の模式斜視図（嵌合後）
【図１１】第３の実施形態にかかる光通信装置の模式断面図
【発明を実施するための形態】
【００１２】
以下、図面を参照しつつ、本発明の実施の形態について説明する。
図１（ａ）は本発明の第１の実施形態にかかる光通信装置の光コネクタ、図１（ｂ）は光モジュールの模式断面図、図１（ｃ）はフェルールの模式斜視図、図１（ｄ）はフェルールガイド部の模式斜視図、である。光通信装置は、光コネクタ４と、光モジュール６と、を有している。
【００１３】
光コネクタ４は、中心軸１９に沿って貫通孔１２ａが設けられたフェルール１２と、一方の端部が貫通孔１２ａ内に挿入された光ファイバ１４と、バネ部１６と、バネ押さえ部２０と、フェルール１２を収納する第１の筐体１８と、を有している。嵌合前のフェルール１２は、バネ押さえ部２０に一方を押さえられたバネ部１６により円板部１２ｅが第１の筐体１８のフェルール押さえ面１８ｂと当接している。すなわち、バネ部１６は最も伸びた状態となっている。なお、貫通孔１２ａの内径は、光ファイバ１４のクラッドが挿入可能なように設定される。
【００１４】
光モジュール６は、光素子３２を含む半導体ユニット３４と、フェルール１２を挿入可能な開口を有するフェルールガイド部３５が設けられた第２の筐体３０と、を有している。第１の筐体１８と第２の筐体３０とは嵌合される。光素子３２が発光素子（ＬＥＤ）、半導体レーザ（ＬＤ）、面発光型半導体レーザ（ＶＣＳＥＬ）などの発光素子である場合、半導体ユニット３４に光素子３２の駆動回路を設けると小型化が容易となる。また、光素子３２は受光ダイオード（ＰＤ）やＰＤを含む受光用ＩＣとすることもできる。光素子３２が接着されたリードフレームは、透光性樹脂などと一体成型することができる。また、光素子３２を覆うようにレンズ３４ａを形成すると、光ファイバ１４との光結合効率を高めることができる。
【００１５】
本図において、光コネクタ４の第１の筐体１８には凸部１８ａ、光モジュール６の第２の筐体３０には凹部３０ａ、がそれぞれ設けられている。または、第１の筐体１８に凹部、第２の筐体に凸部、をそれぞれ設けてもよい。凸部１８ａは、第１の筐体１８にスリットを切り込み形成したロック爪形状とすることができる。このようにすると、凸部１８ａと凹部３０ａとが嵌合され、さらにロックされる。また、ロック爪を上下から押すと、ロックが解除され光コネクタ４を引き抜くことができる。
【００１６】
フェルールガイド部３５に設けられた開口の開口端３５ａは、第１の面３５ｂと、フェルールガイド部３５の開口の中心軸３９に沿って第１の面３５ｂからフェルール１２側に向かって突出した第２の面３５ｃと、を有している。すなわち、開口端３５ａには、２つの機械的基準面となる段差部が形成されている。
【００１７】
図１（ｃ）のように、フェルール１２の先端部の端面１２ｄと、円板部１２ｅと、の中間には、先端部の直径よりも大きく、円板部１２ｅの直径よりも小さい直径を有する中間領域が設けられている。中間領域に設けられた第１の面１２ｂは、フェルール１２の貫通孔１２ａの中心軸１９と交差するように設けられる。交差角を略垂直とすると、開口端３５ａに確実に押し当てることができる。
【００１８】
第１及び第２の筐体１８、３０の材質は、例えば樹脂などとすることができる。また、フェルール１２の材質はニッケル合金のような金属やジルコニア（ＺｒＯ２）のようなセラミックなどとすることができる。半導体ユニット３４は、リードフレーム上に光素子３２、駆動用ＩＣ、受光用ＩＣなどを含む半導体チップを接着し、ボンディングワイヤにより電気的接続を行うことにより形成できる。なお、半導体ユニット３４を透光性樹脂などで封止すると、内部を保護することができる。
【００１９】
図２（ａ）は光素子とフェルールの端面とが第１の距離、図２（ｂ）は光素子とフェルールの端面とが第２の距離、となる場合の第１の実施形態にかかる光通信装置の模式断面図である。
図２（ａ）のように、フェルール１２をフェルールガイド部３５の開口に挿入しバネ部１６がフェルール１２をフェルールガイド部３５に押し付けると、フェルール１２の第１の面１２ｂと開口端３５ａの第１の面３５ｂとが当接する。この状態で第１の筐体１８の凸部１８ａと、第２の筐体３０の凹部３０ａと、が嵌合されると、光素子３２とフェルール１２の端面１２ｄとは、第１の距離Ｘ１だけ離間する。
【００２０】
他方、図２（ｂ）は光コネクタ４を１８０度回転し嵌合した場合である。フェルール１２の第１の面１２ｂと開口端３５ａの第２の面３５ｃとが当接する。この状態で第１の筐体１８の凸部１８ａと、第２の筐体３０の凹部３０ａと、が嵌合されると、光素子３２とフェルール１２の端面１２ｄとは第１の距離Ｘ１よりも長い第２の距離Ｘ２だけ離間する。すなわち、開口端３５ａに段差部を設けることにより、光ファイバ１４と光素子３２との光結合状態を切り替えることができる。なお、フェルール１２の第１の面１２ｂとフェルールガイド部３５の開口の開口端３５ａとが当接しているので、円板部１２ｅとフェルール押さえ面１８ｂとは離間している。
【００２１】
図３（ａ）はプラスチッククラッド石英光ファイバ（ＰＣＦ）の場合の光結合状態を説明する模式断面図、図３（ｂ）は光ファイバへの入射点近傍の拡大模式断面図、である。実線は光ファイバ１４と光結合可能な光線、破線は光結合が不可能な光線、をそれぞれ表す。例えば、コア径を０．２ｍｍ、クラッド径を０．２３ｍｍ、とする。光素子３２が発光素子であると、その放出光は半導体ユニット３４に設けられたレンズ３４ａにより集光され光ファイバ１４へ効率よく入射可能となる。また、光素子３２を受光素子とすると、光ファイバ１４からの出射光を集光して受光できる。
【００２２】
また、フェルール１２の端面１２ｄと光素子３２との距離Ｘを短くすると、光ファイバ１４へ入射する光の強度が増大する。しかし、入射角が大きくなり、光ファイバ１４の出力端までの到達時間が入射角により異なる分散現象を生じる。このために光パルスに鈍りを生じ、伝送品質を低下させる。本実施形態では、要求される伝送品質及び伝送距離に応じて距離Ｘを選択することにより異なる伝送特性を満たすことが可能となる。
【００２３】
図４は、プラスチック光ファイバ（ＡＰＦ）の場合の光結合状態を説明する模式断面図である。例えば、コア径は０．９８ｍｍ、クラッド径は１．００ｍｍである。ＡＰＦも用いると、光結合が容易となり、光通信装置の低価格化が容易となる。他方、ＡＰＦは、ＰＣＦに比べて伝送損失が大きく、伝送距離が短くなる。
ＰＣＦまたはＡＰＦを用いる場合、発光素子の放出光の波長は、０．４〜１μｍの範囲とすることができる。
【００２４】
光モジュール６が送信モジュール、及び受信モジュールのいずれであっても、異なる光ファイバに対して共通の光モジュールとして用いることができる。光ファイバ１４は光通信システム仕様に応じて、ＰＣＦまたはＡＰＦのいずれかを選択すればよい。この場合、図１のように、少なくとも光モジュール６のフェルールガイド部３５の開口の開口端３５ａに段差を設けておけば、異なる光ファイバに対してそれぞれ適正な位置に切り替えて、光通信システムの用途を広げることが容易となる。
【００２５】
図５（ａ）及び図５（ｂ）は、第２の実施形態にかかる光通信装置を表す。
本実施形態では、フェルール１２は、フェルールガイド部３５の開口の開口端３５ａと当接する面に２つの機械的基準面となる段差部を有する。すなわち、貫通孔１２ａ（図１参照）の中心軸１９（図１参照）に沿って第１の面１２ｂよりも突出した第２の面１２ｃを有する。
【００２６】
図５（ａ）においてフェルール１２をフェルールガイド部３５の開口に挿入すると、バネ部１６によりフェルール１２の第２の面１２ｃと開口端３５ａの第１の面３５ｂとが当接し、光素子３２とフェルールの端面１２ｄとが第１の距離Ｘ１となる。この場合、フェルール１２の第１の面１２ｂと開口端３５ａの第２の面３５ｃとを同時に当接できるので、フェルール１２と開口端３５ａとがより確実に噛み合う。この状態で第１の筐体１８の爪状の凸部１８ａと、第２の筐体３０の凹部３０ａと、が嵌合されロック状態となる。
【００２７】
図５（ｂ）において光コネクタ４側が１８０度回転されフェルール１２の第２の面１２ｃと開口端３５ａの第２の面３５ｃとが当接し、光素子３２とフェルールの端面１２ｄとが第１の距離Ｘ１よりも長い第２の距離Ｘ２となる。この状態で第１の筐体１８の凸部１８ａと、第２の筐体３０の凹部３０ａと、が嵌合されロック状態となる。すなわち、フェルール１２に段差部を設けることにより、光ファイバ１４と光素子３２との光結合状態を切り替えることができる。
【００２８】
なお、開口端３５ａ及びフェルール１２に設ける段差部は、２つに限定されない。例えば、一方を３または４分割などとし段差部を設けても３または４段階などに切り替えることができる。  
【００２９】
図６（ａ）及び図６（ｂ）は、第２の実施形態の変形例の模式断面図である。
図６（ａ）においてフェルール１２をフェルールガイド部３５の開口に挿入すると、バネ部１６によりフェルール１２の第１の面１２ｂと開口端３５ａの第２の面３５ｃとが当接し、光素子３２とフェルール１２の端面１２ｄとが第１の距離Ｘ１だけ離間する。この状態で第１の筐体１８の爪状の凸部１８ａと、第２の筐体３０の凹部３０ａと、が嵌合されロック状態となる。
【００３０】
図６（ｂ）において光コネクタ４側を１８０度回転すると、フェルール１２の第２の面１２ｃと開口端３５ａの第２の面３５ｃとが当接し、光素子３２とフェルールの端面１２ｄとが第１の距離Ｘ１よりも長い第２の距離Ｘ２だけ離間する。この状態で第１の筐体１８の凸部１８ａと、第２の筐体３０の凹部３０ａと、が嵌合されロック状態となる。また、フェルールガイド部３５の開口端の段差Ｄｇをフェルール１２の段差Ｄｆよりも大きくすると、フェルールガイド部３５の第１の面３５ｂを機械的基準面として用いる必要がない。この場合、選択するフェルール１２の段差Ｄｆの範囲を広くし、光学特性の変化範囲を広げることができる。
【００３１】
図７（ａ）は比較例にかかる光通信装置の光コネクタ、図７（ｂ）は光通信装置の光モジュールの模式断面図、である。
光コネクタ１０４は、中心軸に沿って貫通孔が設けられたフェルール１１２と、一方の端部が貫通孔に挿入された光ファイバ１１４と、バネ部１１６と、バネ押さえ部１２０と、フェルール１１２を内部に収容する第１の筐体１１８と、を有している。
【００３２】
光モジュール１０６は、光素子１３２を含む半導体ユニット１３４と、フェルール１１２を挿入可能なフェルールガイド部１３５が設けられた第２の筐体１３０と、を有している。
【００３３】
本比較例では、フェルール１１２の中間部に設けられた面１１２ｂは段差部を有していない。また、フェルールガイド部１３５の開口の開口端１３５ａは段差部を有していない。すなわち、フェルール１１２をフェルールガイド部１３５の開口に挿入し、第１及び第２の筐体１１８、１３０が嵌合された場合、中間部に設けられた面１１２ｂは開口端１３５ａの面１３５ｂと当接し、フェルール１１２の端面１１２ｄと光素子１３２との距離が決定される。このために、光ファイバ１１４と光素子１３２との光結合状態を切り替えることが困難である。
【００３４】
図８は、本実施形態の光通信装置を用いた光通信システムを表す構成図である。
光通信装置２は、入力電気信号Ｓ１ｉｎが入力され光素子により電気−光変換された光信号を光ファイバ１４へ向けて出射する送信器（Ｔｘ）２ａと、光ファイバ１４からの光信号を光−電気変換し出力電気信号Ｓ１ｏｕｔとして出力する受信器（Ｒｘ）と、を有している。また、入力電気信号Ｓ２ｉｎを逆方向に向かって送信し、出力電気信号Ｓ２ｏｕｔとして出力すると、双方向通信ができる。
【００３５】
このような光通信システムにおいて、例えばフェルール１２の段差Ｄｆをフェルールガイド部３５の開口端の段差Ｄｇよりも大きくしておくと、光コネクタ４のフェルールの段差Ｄｆを変化するだけで光出力や分散などの光学特性を所望の光通信システムに合わせることが容易となる。
【００３６】
図９は、第３の実施形態にかかる光通信装置の嵌合前の模式斜視図である。
光通信装置は、光コネクタ５及び光モジュール７を有している。光コネクタ５は、中心軸に沿って貫通孔が設けられたフェルール１３と、一方の端部が貫通孔に挿入された光ファイバ１４と、フェルール１３を収容する第１の筐体２１と、を有する。また、光モジュール７は、中心軸がフェルール１３の中心軸と一致するようにフェルール１３の端部１３ｄを挿入可能なフェルールガイド部が設けられた第２の筐体３１と、光素子と、を有する。
【００３７】
第１の筐体２１は凹部を有する。凹部は、フェルールの中心軸と平行方向に設けられた第１の溝２１ａと、第１の溝２１ａから分岐し互いに平行となるように設けられた第２及び第３の溝２１ｄ、２１ｂと、を有する。さらに、第２の溝２１ｄはロック部２１ｅ、第３の溝２１ｂはロック部２１ｃ、を有している。第２の筐体３１は凹部と嵌合される凸部３１ａ、３１ｂを有する。なお、第１の筐体２１側に凸部、第２の筐体側に凹部、が設けられていてもよい。
【００３８】
図１０は、本実施形態の嵌合後の模式斜視図である。
また、図１１（ａ）及び図１１（ｂ）は、本実施形態の嵌合後の模式断面図である。
フェルール１３及びフェルールガイド部３６には段差部が設けられておらず、フェルール１３とフェルールガイド部３６の開口端の面３６ｂと当接するフェルール１３側の面はない。本実施形態では、第１の筐体２１に設けられた凹部と第２の筐体３１に設けられた凸部とが嵌合される位置を変化することにより、光結合状態を切り替えることができる。なお、第１及び第２の実施形態のようにフェルールとフェルールガイド部の段差部がある開口端とを当接してもよい。そのようにすると、挿入方向において、より正確に位置が固定できる。１８０度回転して嵌合する場合、少なくとも凹部は１８０度回転した側にも設けるようにする。
【００３９】
図１１（ａ）では、凸部３１ａが第３の溝２１ｂ、凸部３１ｂが第２の溝２１ｄ、に沿ってそれぞれ挿入される。さらに凸部３１ａがロック部２１ｃ、凸部３１ｂがロック部２１ｅ、でそれぞれロックされ、光素子３２とフェルール１３の端面１３ｄとは、第１の距離Ｘ１だけ離間する。
【００４０】
図１１（ｂ）では、凸部３１ｂが第３の溝２１ｂに挿入され、さらにロック部２１ｃでロックされる。この場合、光素子３２とフェルール１３の端面１３ｄとは第１の距離Ｘ１よりも長い第２の距離Ｘ２だけ離間する。
【００４１】
第１〜第３の実施形態及びこれらに付随する変形例において、光素子とフェルール端面との距離を変化させて光結合状態を切り替え可能な光通信装置が提供される。例えば、ＰＣＦやＡＰＦにより光信号を送信する場合、光ファイバへの入射光強度や入射角度を変化することが容易となる。このため、モード分散が低減された光が送信できる。また、光信号を受信する場合、受光強度を変化することが容易となる。このために、最大受信電力に制限があるＤＣ結合受信回路への入力電力が低減できる。
【００４２】
以上、図面を参照しつつ、本発明の実施形態について説明した。しかしながら本発明は、これらの実施形態に限定されない。本発明を構成する光素子、レンズ、フェルール、フェルールガイド、光ファイバ、バネ部、筐体、などに関して、当業者が設計変更を行ったものであっても、本発明の主旨を逸脱しない限り、本発明の範囲に包含される。
【符号の説明】
【００４３】
２  光通信装置、４、５  光コネクタ、６、７  光モジュール、１２  フェルール、１４  光ファイバ、１６  バネ部、１８、２１  第１の筐体、１９、３９  中心軸、３０、３１  第２の筐体、３２  光素子、３５、３６  フェルールガイド部、Ｘ１  第１の距離、Ｘ２  第２の距離
【図１】
2011133660.tif 000003
【図２】
2011133660.tif 000004
【図５】
2011133660.tif 000005
【図６】
2011133660.tif 000006
【図７】
2011133660.tif 000007
【図８】
2011133660.tif 000008
【図９】
2011133660.tif 000009
【図１０】
2011133660.tif 000010
【図１１】
2011133660.tif 000011
【図３】
2011133660.tif 000012
【図４】
2011133660.tif 000013